(57)【要約】【課題】  光出力のずれが抑制される点灯装置ユニットおよびこの点灯装置ユニットを備える照明装置を提供する。【解決手段】  点灯装置ユニット１は、電流検出抵抗Ｒ１を有するＬＥＤ負荷２と、電力変換回路１３、第１および第２の出力端子１４ａ，１４ｂ、検出端子１５、電流検出抵抗Ｒ１が直列的に接続される固定抵抗Ｒ２および検出端子１５から検出値を入力して検出値が目標値となるように電力変換回路１３を制御する制御部１６を有する点灯装置３と、第１〜第３の電線２６〜２８を有し、固定抵抗Ｒ２と、直流電流が流れる検出端子１５および第２の出力端子１４ｂ間の抵抗との合成抵抗値ＳａにＬＥＤの定格電流値を乗じた電圧値が目標値となるようにＬＥＤ５の定格電流値に応じて第２の電線２７の抵抗値Ｓｈが設定された配線体４と、を具備している。【選択図】図１
2017183039.tif 000002
【特許請求の範囲】
【請求項１】
ＬＥＤおよびこのＬＥＤに直列接続された電流検出抵抗を有するＬＥＤ負荷と；
入力電力を所定の直流電力に変換する電力変換回路、この電力変換回路の高出力電位側に接続されて前記ＬＥＤ負荷の高電位側が接続される第１の出力端子、前記電力変換回路の低出力電位側に接続されて前記ＬＥＤ負荷の低電位側が接続される第２の出力端子、前記ＬＥＤおよび前記電流検出抵抗の接続点が接続され前記ＬＥＤ負荷に流れる直流電流の検出値を入力する検出端子、前記電力変換回路に設けられ前記第２の出力端子を介して前記電流検出抵抗が直列的に接続される固定抵抗および前記ＬＥＤに定格電流を流す目標値が設定され、前記検出端子から前記検出値を入力して前記検出値が前記目標値となるように前記電力変換回路を制御する制御部を有する点灯装置と；
前記第１の出力端子および前記ＬＥＤ負荷の高電位側を接続する第１の電線と、前記第２の出力端子および前記ＬＥＤ負荷の低電位側を接続する第２の電線と、前記検出端子と前記ＬＥＤおよび前記電流検出抵抗の接続点とを接続する第３の電線を有し、前記固定抵抗と、前記直流電流が流れる前記検出端子および前記第２の出力端子間の抵抗との合成抵抗値に前記ＬＥＤの定格電流値を乗じた電圧値が前記目標値となるように前記ＬＥＤの定格電流値に応じて前記第２の電線の抵抗値が設定された配線体と；
を具備していることを特徴とする点灯装置ユニット。
【請求項２】
前記配線体は、前記第２の電線が一定の抵抗値を有するものであり、調整抵抗が前記第２の電線に直列的または並列的に接続されることにより前記検出端子および前記第２の出力端子間における抵抗値が設定されることを特徴とする点灯装置ユニット。
【請求項３】
請求項１または２記載の点灯装置ユニットと；
この点灯装置ユニットの少なくとも前記ＬＥＤ負荷を配設する装置本体と；
を具備していることを特徴とする照明装置。
【発明の詳細な説明】
【技術分野】
【０００１】
本発明の実施形態は、ＬＥＤ負荷を点灯可能な点灯装置ユニットおよびこの点灯装置ユニットを備える照明装置に関する。
【背景技術】
【０００２】
照明装置は、光源としてＬＥＤ等の半導体発光素子が用いられており、例えば複数個のＬＥＤを基板に実装したＬＥＤモジュール（ＬＥＤ負荷）を配設している。ＬＥＤモジュールは、電線（配線）によって点灯装置に接続され、点灯装置の出力電流によりＬＥＤが点灯されている。そして、ＬＥＤモジュールには、例えばＬＥＤの定格電流に応じて異なる光出力を放射するものがある。  
【０００３】
この定格電流の異なるＬＥＤモジュールに対して、１つの点灯装置で当該定格電流を設定可能にしているものがある。これらの点灯装置およびＬＥＤモジュールには、それぞれＬＥＤに流れる電流を検出する電流検出抵抗が設けられている。点灯装置は、両者の電流検出抵抗が直列接続または並列接続するようにＬＥＤモジュールに接続されており、両者の電流検出抵抗の合成抵抗に発生する電圧（検出値）が目標値となるようにフィードバック制御している。目標値は、例えば両者の電流検出抵抗の合成抵抗値にＬＥＤの定格電流を乗じた電圧値に設定されている。ＬＥＤモジュールの電流検出抵抗の抵抗値を変えることによって、ＬＥＤに流れる定格電流を変えることができ、１つの点灯装置で複数種類の定格電流を設定することができる（例えば特許文献１参照。）。  
【０００４】
そして、点灯装置およびＬＥＤモジュールのそれぞれの電流検出抵抗は、これらでの電力損失を低減させるために低い抵抗値に設定されている。
【先行技術文献】
【特許文献】
【０００５】
【特許文献１】特開２０１３−２５４５６６号公報（第６頁、第１図）
【発明の概要】
【発明が解決しようとする課題】
【０００６】
点灯装置は、ＬＥＤに流れる定格電流の検出値が目標値となるようにフィードバック制御している。検出値は、点灯装置およびＬＥＤモジュールのそれぞれの電流検出抵抗と、点灯装置およびＬＥＤモジュールを接続している電線の抵抗とによって決定される。
【０００７】
そして、照明装置には、複数個のＬＥＤモジュールを搭載し、各ＬＥＤモジュールがそれぞれの点灯装置に接続されているものがある。ＬＥＤモジュールおよび点灯装置を接続する電線の電線長が異なることがあり、この場合、電線の抵抗の差違によって検出値が異なり、各ＬＥＤモジュールの光出力がばらつくという問題がある。
【０００８】
本実施形態は、光出力のずれが抑制される点灯装置ユニットおよびこの点灯装置ユニットを備える照明装置を提供することを目的とする。
【課題を解決するための手段】
【０００９】
本実施形態の点灯装置ユニットは、ＬＥＤ負荷、点灯装置および配線体を有して構成される。ＬＥＤ負荷は、ＬＥＤと、このＬＥＤに直列接続された電流検出抵抗を有してなる。
【００１０】
点灯装置は、電力変換回路、第１の出力端子、第２の出力端子、検出端子、固定抵抗および制御部を有して形成される。電力変換回路は、入力電力を所定の直流電力に変換する。第１の出力端子は、電力変換回路の高出力電位側に接続されてＬＥＤ負荷の高電位側が接続される。第２の出力端子は、電力変換回路の低出力電位側に接続されてＬＥＤ負荷の低電位側が接続される。検出端子は、ＬＥＤ負荷のＬＥＤおよび電流検出抵抗の接続点が接続され、ＬＥＤ負荷に流れる直流電流の検出値を入力する。
【００１１】
固定抵抗は、電力変換回路に設けられていて、第２の出力端子を介して電流検出抵抗に直列的に接続される。制御部は、ＬＥＤに定格電流を流す目標値が設定されている。そして、制御部は、検出端子からＬＥＤ負荷に流れる直流電流の検出値を入力し、この検出値が目標値となるように電力変換回路を制御する。
【００１２】
配線体は、第１の電線、第２の電線および第３の電線を有してなる。第１の電線は、第１の出力端子およびＬＥＤ負荷の高電位側を接続し、第２の電線は、第２の出力端子およびＬＥＤ負荷の低電位側を接続し、第３の電線は、検出端子とＬＥＤ負荷のＬＥＤおよび電流検出抵抗の接続点とを接続する。そして、第２の電線の抵抗値は、点灯装置の固定抵抗と、ＬＥＤ負荷に流れる直流電流が流れる検出端子および第２の出力端子間の抵抗との合成抵抗値にＬＥＤの定格電流値を乗じた電圧値が目標値となるようにＬＥＤの定格電流値に応じて設定されている。
【発明の効果】
【００１３】
本実施形態の点灯装置ユニットによれば、点灯装置とＬＥＤ負荷を接続する配線体は、点灯装置の固定抵抗と、ＬＥＤ負荷に流れる直流電流が流れる検出端子および第２の出力端子間の抵抗との合成抵抗値にＬＥＤの定格電流値を乗じた電圧値が目標値となるようにＬＥＤの定格電流値に応じて第２の電線の抵抗値が設定されているので、ＬＥＤ負荷に流れる直流電流の検出値と目標値との間にずれが生じなくなることが期待できる。
【図面の簡単な説明】
【００１４】
【図１】本発明の第１の実施形態に示す点灯装置ユニットの概略ブロック図である。
【図２】同じく、照明装置を示し、（ａ）は概略斜視図、（ｂ）は一部切り欠き概略側面図である。
【図３】本発明の第２の実施形態に示す点灯装置ユニットの概略ブロック図である。
【図４】同じく、他の点灯装置ユニットの概略ブロック図である。
【発明を実施するための形態】
【００１５】
以下、本発明の一実施形態について、図面を参照して説明する。まず、本発明の第１の実施形態について説明する。
【００１６】
本実施形態の点灯装置ユニット１は、図１に示すように、ＬＥＤ負荷２、点灯装置３および配線体４を有して構成されている。
【００１７】
ＬＥＤ負荷２は、不図示の基板に実装された複数個のＬＥＤ５および電流検出抵抗Ｒ１を有するＬＥＤモジュールに形成されている。複数個のＬＥＤ５は、本実施形態では、直列接続されている。電流検出抵抗Ｒ１は、ＬＥＤ５に直列接続されている。ＬＥＤ５は、例えば白色光を放射するものである。また、電流検出抵抗Ｒ１は、ＬＥＤ５の定格電流に応じた抵抗値に設定されている。なお、ＬＥＤ負荷２は、１個のＬＥＤ５を設けるものであってもよい。また、複数個のＬＥＤ５は、複数列に設けられ、列毎に直列接続されてもよい。
【００１８】
ＬＥＤ５および電流検出抵抗Ｒ１の直列回路の両端は、基板に設けた入力端子６ａ，６ｂに接続され、ＬＥＤ５および電流検出抵抗Ｒ１の接続点７は、基板に設けた接続端子８に接続されている。入力端子６ａは、ＬＥＤ負荷２の高電位側の入力端子であり、入力端子６ｂは、低電位側の入力端子となっている。ＬＥＤ５および電流検出抵抗Ｒ１には、入力端子６ａ側から入力端子６ｂ側に電流が流れる。
【００１９】
そして、入力端子６ａ，６ｂおよび接続端子８は、コネクタ９付きのリード線１０，１１，１２に接続されている。リード線１０は、コネクタ端子９ａと入力端子６ａを接続し、リード線１１は、コネクタ端子９ｂと入力端子６ｂを接続し、リード線１２は、コネクタ端子９ｃと接続端子８を接続している。リード線１０，１１，１２は、基板から比較的短く導出されており、その導出長は、例えば４〜５ｃｍとなっている。また、リード線１０，１１，１２は、同じ材質例えば銅、線径を有している。したがって、リード線１０，１１，１２の全長に亘る抵抗値は、ほぼ同等となっている。そして、ＬＥＤ負荷２は、点灯装置３に接続されている。
【００２０】
点灯装置３は、電力変換回路１３、第１の出力端子１４ａ、第２の出力端子１４ｂ、検出端子１５、固定抵抗Ｒ２および制御部１６を有して形成されている。点灯装置３は、入力側が商用交流電源Ｖｓに接続され、交流電源を入力する。電力変換回路１３は、直流電力を入力し、この入力電力を所定の直流電力に変換して出力する。したがって、点灯装置３は、電力変換回路１３の前段側に商用交流電源Ｖｓから直流電源を生成するための整流回路１７や力率改善回路１８等が形成されている。電力変換回路１３から出力された直流電力は、配線体４を介してＬＥＤ負荷２に供給される。なお、点灯装置３は、直流電源を入力するものであってもよく、この場合には、整流回路１７などが省略される。
【００２１】
電力変換回路１３は、本実施形態では、降圧チョッパ回路に形成されている。すなわち、電力変換回路１３は、電界効果トランジスタＱ１およびダイオードＤ１の直列回路と、ダイオードＤ１の両端間に接続されたインダクタＬ１、コンデンサＣ１および固定抵抗Ｒ２の直列回路とを有してなり、電界効果トランジスタＱ１およびダイオードＤ１の直列回路の両端間に力率改善回路１８から直流電力が入力される。
【００２２】
電界効果トランジスタＱ１の制御端子（ゲート）は、制御部１６に設けられた駆動回路１９に接続されている。駆動回路１９は、制御部１６の制御により駆動電圧を出力し、駆動電圧の出力を停止するように形成されている。この駆動電圧の出力および停止により、電界効果トランジスタＱ１は、スイッチング制御される。電界効果トランジスタＱ１は、コンデンサＣ１の両端間に所定の直流電圧が発生するようにスイッチング制御される。
【００２３】
コンデンサＣ１の高電位側は、第１の出力端子１４ａに接続され、コンデンサＣ１の低電位側は、第２の出力端子１４ｂに接続されている。電力変換回路１３が変換（生成）した所定の直流電力は、第１および第２の出力端子１４ａ，１４ｂ間に出力される。所定の直流電力は、配線体４を介してＬＥＤ負荷２の入力端子６ａ，６ｂに入力される。これにより、ＬＥＤ５に所定の直流電流が流れて、ＬＥＤ５が点灯する。
【００２４】
電力変換回路１３の固定抵抗Ｒ２は、電力変換回路１３の出力電流を検出する。すなわち、固定抵抗Ｒ２は、ＬＥＤ負荷２に流れる直流電流をＬＥＤ負荷２の電流検出抵抗Ｒ１と協働して検出する。その直流電流の検出値は、配線体４の接続によって検出端子１５に入力される。ＬＥＤ５に流れる直流電流は、固定抵抗Ｒ２および電流検出抵抗Ｒ１によって検出電圧に変換され、その検出電圧が検出端子１５に入力される。固定抵抗Ｒ２の入力側一端および検出端子１５は、制御部１６に接続されており、固定抵抗Ｒ２の入力側一端および検出端子１５間の電圧を制御部１６に入力する。
【００２５】
なお、ＬＥＤ負荷２には、一定レベルの直流電流が流れるが、固定抵抗Ｒ２には、電界効果トランジスタＱ１のスイッチング動作に応じた三角波形の直流電流が流れる。しかしながら、三角波形の直流電流の平均値は、ＬＥＤ負荷２に流れる直流電流と同等である。すなわち、ＬＥＤ負荷２の電流検出抵抗Ｒ１および点灯装置３の固定抵抗Ｒ２には、同等の平均電流が流れる。そして、電流検出抵抗Ｒ１および固定抵抗Ｒ２は、それらでの電力損失を低減させるために、それらの抵抗値が低く設定されている。
【００２６】
制御部１６は、不図示のマイコンや記憶部などを有して形成されている。本実施形態では、制御部１６には、点灯装置３の製造時などにおいて、ＬＥＤ負荷２に流れる直流電流の検出値と比較する目標値が設定されており、この目標値を記憶部やプログラムなどに設けている。
【００２７】
目標値は、ＬＥＤ負荷２にＬＥＤ５の定格電流を流す基準となるものであり、電力変換回路１３の固定抵抗Ｒ２と、ＬＥＤ負荷２に流れる直流電流が流れる検出端子１５および第２の出力端子１４ｂ間の抵抗との合成抵抗値にＬＥＤ５の定格電流値を乗じた電圧値に設定されている。ここで、定格電流とは、ＬＥＤ５が全光点灯（１００％点灯）するときに、ＬＥＤ５に流れる直流電流を意味する。また、目標値は、不変であり、例えば１Ｖに設定されている。この不変値（１Ｖ）に目標値が設定されるように、配線体４により、ＬＥＤ負荷２に流れる直流電流が流れる検出端子１５および第２の出力端子１４ｂ間の抵抗値が設定されている。そして、制御部１６は、ＬＥＤ５を全光点灯させるときには、検出端子１５から入力する検出値が目標値となるように駆動回路１９を介して電力変換回路１３の電界効果トランジスタＱ１をスイッチング制御するように形成されている。
【００２８】
そして、点灯装置３は、電力変換回路１３および制御部１６に加えて、電力変換回路１３の前段側に、フィルタ回路２０、整流回路１７、突入防止回路２１、電源電圧検出回路２２、力率改善回路１８、制御用電源回路２３および調光回路２４を有している。これらの各部は、点灯装置３に必要に応じて設けられ、省略可能である。
【００２９】
フィルタ回路２０は、商用交流電源Ｖｓに接続されており、例えば商用交流電源Ｖｓから供給される交流電力に含まれるノイズを抑制するとともに、点灯装置３でのスイッチング動作によって発生するノイズが商用交流電源Ｖｓ側に流出するのを防止する。整流回路１７は、フィルタ回路２０を介して入力した交流電圧を整流電圧に変換する。整流回路１７は、例えば４個の整流素子を組み合わせたダイオードブリッジの全波整流器である。なお、整流回路１７は、半波整流器などでもよい。整流電圧は、全波整流された脈流でもよいし、半波整流された脈流でもよい。
【００３０】
突入防止回路２１は、整流回路１７の高出力電位側に接続されており、商用交流電源Ｖｓの投入時に生じる突入電流を抑制するものであり、例えば、温度上昇に伴って抵抗値が低下するＮＴＣサーミスタなどが用いられている。電源電圧検出回路２２は、突入防止回路２１を介して整流回路１７の出力間に接続されており、商用交流電源Ｖｓから供給される交流電圧の異常を検出する。そして、電源電圧検出回路２２は、交流電圧の異常の検出結果を示す異常信号を制御部１６に出力する。制御部１６は、電源電圧検出回路２２から異常信号が出力されると、電力変換回路１３の電界効果トランジスタＱ１のスイッチング動作を停止させる。これにより、電力変換回路１３からＬＥＤ負荷２に直流電力が供給されなくなり、ＬＥＤ５が消灯する。ＬＥＤ負荷２は、異常電圧による悪影響から保護される。
【００３１】
力率改善回路１８は、電源電圧検出回路２２の後段側に設けられており、電源周波数の整数倍の高調波の発生を抑制した一定電圧を出力するように形成されている。本実施形態では、力率改善回路１８は、昇圧チョッパ回路に形成されている。すなわち、力率改善回路１８は、整流回路１７から出力された整流電圧（脈流電圧）を入力するインダクタＬ２および電界効果トランジスタＱ２の直列回路と、電界効果トランジスタＱ２に並列接続されたダイオードＤ２および平滑用コンデンサＣ２の直列回路を有してなる。
【００３２】
電界効果トランジスタＱ２は、制御部１６によりスイッチング動作が制御される。制御部１６は、整流回路１７から出力された整流電圧（脈流電圧）を正弦波の半波波形に近づけるように電界効果トランジスタＱ２のスイッチング動作を制御することにより力率を改善する。そして、整流電圧は、ダイオードＤ２および平滑用コンデンサＣ２によって整流平滑される。平滑用コンデンサＣ２の両端間に一定の直流電圧が発生する。平滑用コンデンサＣ２は、直流電源となり、直流電圧（直流電力）を電力変換回路１３に入力する。
【００３３】
また、平滑用コンデンサＣ２の出力側には、制御用電源回路２３が設けられている。制御用電源回路２３は、平滑用コンデンサＣ２に発生する直流電圧を制御部１６の動作電圧に変換して制御部１６に供給するように形成されている。制御部１６は、制御用電源回路２３からの電力供給に応じて動作する。
【００３４】
調光回路２４は、例えば外部の調光器などから調光信号が入力される。調光回路２４は、制御部１６に接続されている。そして、調光回路２４は、入力した調光信号に基づいてＬＥＤ５の調光レベルを示す調光制御信号を生成し、その調光制御信号を制御部１６に入力する。調光制御信号は、例えば調光レベルに応じたデューティ比のＰＷＭ信号である。制御部１６は、調光回路２４から入力した調光制御信号に基づいて、駆動回路１９を介して電力変換回路１３の電界効果トランジスタＱ１を制御する。これにより、ＬＥＤ負荷２のＬＥＤ５は、調光信号に応じた調光レベルで調光される。
【００３５】
そして、点灯装置３の第１および第２の出力端子１４ａ，１４ｂおよび検出端子１５には、コネクタ２５付きの第１〜第３の電線２６〜２８が接続されている。この第１〜第３の電線２６〜２８により、本実施形態の配線体４が形成されている。
【００３６】
第１の電線２６は、第１の出力端子１４ａおよびコネクタ端子２５ａに接続され、第２の電線２７は、第２の出力端子１４ｂおよびコネクタ端子２５ｂに接続され、第３の電線２８は、検出端子１５およびコネクタ端子２５ｃに接続されている。そして、第１〜第３の電線２６〜２８は、被覆を有するとともに、束ねられたケーブルハーネスに形成されている。また、第１〜第３の電線２６〜２８は、それぞれの全長がほぼ同等であり、同じ材質および線径となっている。すなわち、第１〜第３の電線２６〜２８のそれぞれの全長に亘る抵抗値は、ほぼ同等となっている。以下、第１〜第３の電線２６〜２８の全長に亘る抵抗を抵抗Ｒ３と称する。
【００３７】
コネクタ２５は、ＬＥＤ負荷２側のコネクタ９に結合されている。コネクタ２５およびコネクタ９は、一方が雄コネクタであり、他方が雌コネクタとなっている。コネクタ２５およびコネクタ９の結合により、コネクタ端子２５ａ，２５ｂ，２５ｃとコネクタ端子９ａ，９ｂ，９ｃとがそれぞれ電気接続する。第１の電線２６およびリード線１０は、点灯装置３の第１の出力端子１４ａとＬＥＤ負荷２の入力端子６ａとを接続し、第２の電線２７およびリード線１１は、第２の出力端子１４ｂと入力端子６ｂとを接続する。また、第３の電線２８およびリード線１２は、検出端子１５と接続端子８とを接続する。検出端子１５は、接続端子８を介してＬＥＤ５および電流検出抵抗Ｒ１の接続点７に接続される。このように、配線体４は、ＬＥＤ負荷２と点灯装置３とを電気的に接続する。
【００３８】
そして、ＬＥＤ負荷２は、装置本体の開口から放射光が出射するように装置本体内に設けられ、点灯装置３は、装置本体内の任意の場所に設けられ、または、装置本体と別置されることがある。ここで、リード線１０〜１２は、ＬＥＤ負荷２の入力端子６ａ，６ｂおよび接続端子８に接続されてＬＥＤ負荷２と一体になっているとともに、その導出長が比較的短い一定値であり、材質および線径が同等となっている。このため、リード線１０〜１２の抵抗値は、一定値となっている。
【００３９】
これに対し、第１〜第３の電線２６〜２８は、少なくとも点灯装置３とＬＥＤ負荷２とを電気接続する長さが必要であり、点灯装置３の設置場所によって長さが変化し、その長さによって抵抗Ｒ３が変化する。本実施形態では、第１〜第３の電線２６〜２８は、点灯装置３とＬＥＤ負荷２とを電気接続するともに、ＬＥＤ負荷２にＬＥＤ５の定格電流が流れるときに、点灯装置３の検出端子１５に目標値（例えば１Ｖ）の電圧値が発生（入力）するように、それらの抵抗Ｒ３の抵抗値が設定されている。
【００４０】
目標値は、上述したように、本実施形態では、点灯装置３の固定抵抗Ｒ２と、ＬＥＤ負荷２に流れる直流電流が流れる検出端子１５および第２の出力端子１４ｂ間の抵抗の合成抵抗値にＬＥＤ５の定格電流値を乗じた電圧値に設定されている。
【００４１】
そして、ＬＥＤ負荷２に流れる直流電流は、ＬＥＤ負荷２の電流検出抵抗Ｒ１、配線体４のリード線１１および第２の電線２７、電力変換回路１３の固定抵抗Ｒ２の経路で流れる。ＬＥＤ５および電流検出抵抗Ｒ１の接続点７から検出端子１５には、直流電流がほぼ流れなく、検出端子１５での電圧と前記接続点７での電圧とは、ほぼ同等となっている。これは、検出端子１５に発生した電圧値を検出する制御部１６内のインピーダンスが非常に大きいことによる。これにより、検出端子１５で検出されるＬＥＤ負荷２に流れる直流電流の検出値は、前記接続点７での電圧値となり、ＬＥＤ負荷２に流れる直流電流が流れる検出端子１５および第２の出力端子１４ｂ間の抵抗は、前記接続点７および第２の出力端子１４ｂ間の抵抗となる。
【００４２】
固定抵抗Ｒ２と、前記接続点７および第２の出力端子１４ｂ間の抵抗との合成抵抗値Ｓａは、目標値（例えば１Ｖ）をＬＥＤ５の定格電流値で除算したものとなる。したがって、第２の電線２７の抵抗値Ｓｈは、合成抵抗値Ｓａから電流検出抵抗Ｒ１および固定抵抗Ｒ２のそれぞれの抵抗値を減算して求められる。こうして、第２の電線２７の抵抗値Ｓｈは、ＬＥＤ５の定格電流値に応じて設定される。
【００４３】
なお、コネクタ２５のコネクタ端子２５ａ，２５ｂ，２５ｃとコネクタ９のコネクタ端子９ａ，９ｂ，９ｃとの接触抵抗、電流検出抵抗Ｒ１と接続点７間の抵抗、電流検出抵抗Ｒ１と入力端子６ｂ間の抵抗および接続点７と接続端子８間の抵抗は、それぞれ極小であるので、本実施形態では、検出端子１５および第２の出力端子１４ｂ間の抵抗から無視している。また、リード線１０〜１２は、その全長が短く、その抵抗値が一定で非常に小さいので、リード線１１の抵抗は、無視する。
【００４４】
第２の電線２７は、点灯装置３とＬＥＤ負荷２とを接続可能な長さを有する条件で、抵抗Ｒ３が抵抗値Ｓｈを有するように、材質、線径や長さなどが調整される。例えば、第１〜第３の電線２６〜２８として、銅線を用いる場合、線径０．８ｍｍのときの抵抗は、０．１４（Ω／ｍ）であり、線径１．０ｍｍのときの抵抗は、０．０９（Ω／ｍ）である。また、鉄線を用いる場合、線径０．８ｍｍのときの抵抗は、０．８０（Ω／ｍ）であり、線径１．０ｍｍのときの抵抗は、０．５１（Ω／ｍ）である。電線の材質、線径を選定して、配線の全長を調整することにより、第２の電線２７の抵抗Ｒ３、すなわち第１〜第３の電線２６〜２８のそれぞれの抵抗Ｒ３の抵抗値を上記抵抗値Ｓｈに設定可能である。
【００４５】
なお、本実施形態では、第２の電線２７の抵抗Ｒ３が上記抵抗値Ｓｈに設定されればよく、第１の電線２６および第３の電線２８の抵抗Ｒ３は、任意でよい。
【００４６】
そして、本実施形態の点灯装置ユニット１は、図２に示すように、照明装置３１に搭載される。照明装置３１は、天井面に直付けされるシーリングライトであり、図２（ｂ）に示すように、装置本体３２内にＬＥＤ負荷２および点灯装置３が配設されている。装置本体３２は、例えば冷間圧延鋼板によって、４辺に背丈の低い起立部３２ａを有する長方形の板状に形成されている。そして、装置本体３２は、図２（ａ）に示すように、短手方向中央部に長手方向に亘ってＶカバー３４を配設し、このＶカバー３４の両側に長手方向に亘って透光性カバー３５を配設している。
【００４７】
Ｖカバー３４は、薄鋼板により略Ｖ形の筒状に形成され、外表面３４ａが白色に形成されている。また、透光性カバー３５は、例えば透光性のポリカーボネート（ＰＣ）樹脂により略凹形の筒状に形成され、白色化されている。透光性カバー３５は、低い拡散性を有する。Ｖカバー３４の長手方向両端は、装置本体３２に起立して設けられた端板３６，３６により塞がれ、透光性カバー３５の長手方向両端には、キャップ３７，３７が取り付けられている。端板３６は、薄鋼板により形成され、キャップ３７は、ポリカーボネート（ＰＣ）樹脂により形成されている。  
【００４８】
ＬＥＤ負荷２は、図２（ｂ）に示すように、透光性カバー３５内において、装置本体３２に固定されている取付け板３８に不図示のねじにより取り付けられている。各透光性カバー３５内には、複数個例えば４個のＬＥＤ負荷２が設けられている。ＬＥＤ負荷２は、基板３９に複数個のＬＥＤ５が２列に設けられ、列毎に直列接続されている。そして、ＬＥＤ負荷２は、不図示の配線体４により点灯装置３に接続されている。  
【００４９】
点灯装置３は、Ｖカバー３４内において、装置本体３２にねじにより着脱可能に取り付けられている。また、点灯装置３は、各透光性カバー３５内のＬＥＤ負荷２を点灯する２個が設けられている。そして、各点灯装置３は、不図示の入力線が外部の商用交流電源Ｖｓに接続されている。
【００５０】
次に、本発明の第１の実施形態の作用について説明する。
【００５１】
図１において、商用交流電源Ｖｓが点灯装置３に投入されると、制御部１６が動作する。制御部１６は、駆動回路１９を介して電力変換回路１３の電界効果トランジスタＱ１のスイッチング動作を制御する。第１および第２の出力端子１４ａ，１４ｂから直流電力が出力される。この直流電力は、配線体４等を介してＬＥＤ負荷２の入力端子６ａ，６ｂに入力される。ＬＥＤ５に直流電流が流れて、ＬＥＤ５が点灯し、ＬＥＤ５から例えば白色光が放射される。
【００５２】
ＬＥＤ５に流れる直流電流は、ＬＥＤ負荷２の電流検出抵抗Ｒ１、リード線１１、第２の電線２７および電力変換回路１３の固定抵抗Ｒ２の経路で流れる。ＬＥＤ５および電流検出抵抗Ｒ１の接続点７には、固定抵抗Ｒ２の入力側一端を基準として電流検出抵抗Ｒ１、リード線１１、第２の電線２７および固定抵抗Ｒ２による電圧降下の電圧が発生する。この電圧は、ＬＥＤ負荷２に流れる直流電流の検出値として、リード線１２および第３の電線２８等を介して点灯装置３の検出端子１５に入力され、検出端子１５から制御部１６に入力される。
【００５３】
制御部１６は、ＬＥＤ５に定格電流が流れるように制御するときには、入力した検出値と記憶部に記憶した目標値とが一致するように、すなわち、検出値と目標値との差分が零となるように、電力変換回路１３の電界効果トランジスタＱ１をスイッチング制御する。これにより、電力変換回路１３から所定の直流電力が出力されて、ＬＥＤ５に定格電流が流れる。ＬＥＤ５は、全光点灯する。
【００５４】
配線体４の第２の電線２７は、ＬＥＤ負荷２に定格電流が流れるときに、接続点７に目標値の電圧が発生するように、その抵抗Ｒ３の抵抗値Ｓｈが設定されているので、ＬＥＤ負荷２に定格電流が流れるときには、検出端子１５に入力する検出値は、目標値とほぼ同等となる。これにより、ＬＥＤ負荷２は、目標の放射光を放射し、光出力のずれが防止される。
【００５５】
図２に示す照明装置３１において、各透光性カバー３５内のＬＥＤ負荷２は、それぞれ目標の放射光を放射する。放射光は、透光性カバー３５を透過して床面側の照明空間を照明する。各透光性カバー３５を透過する光量は、ほぼ同等となり、照明空間の照度むらが抑制される。
【００５６】
また、点灯装置３において、制御部１６は、調光回路２４に入力した調光信号に応じて、電力変換回路１３からＬＥＤ負荷２に供給する直流電力を制御する。制御部１６は、ＬＥＤ５の全光（１００％）に対する調光信号の調光レベルの比率を演算し、当該比率と記憶部に記憶した目標値との乗算を新たな比較目標値として、この比較目標値が検出端子１５から入力した検出値と一致するように、電力変換回路１３の電界効果トランジスタＱ１をスイッチング制御する。これにより、電力変換回路１３から調光信号に応じた直流電力が出力されて、ＬＥＤ負荷２に調光信号に応じた直流電流が流れる。ＬＥＤ５は、調光信号の調光レベルで点灯する。照明装置３１は、照明空間を調光レベルの光量で照明する。
【００５７】
本実施形態の点灯装置ユニット１によれば、配線体４は、点灯装置３の固定抵抗Ｒ２と、ＬＥＤ負荷２に流れる直流電流が流れる検出端子１５および第２の出力端子１４ａ間の抵抗との合成抵抗値ＳａにＬＥＤ５の定格電流値を乗じた電圧値が目標値となるように、ＬＥＤ５の定格電流値に応じて第２の電線２７の抵抗値Ｓｈが設定されているので、ＬＥＤ負荷２に流れる直流電流の検出値と目標値との間にずれが生じなくすることができて、ＬＥＤ負荷２が目標の光出力をすることができるという効果を有する。
【００５８】
そして、照明装置３１は、点灯装置ユニット１を具備することにより、目標の光出力に対する光出力のずれが抑制された放射光で照明空間を照明できて、照明空間の照明むらを抑制できるという効果を有する。
【００５９】
なお、本実施形態において、リード線１０〜１２および配線体４は、それぞれコネクタ１０，２５を設けず、第１〜第３の電線２６〜２８をＬＥＤ負荷２の端子６ａ〜６ｃにそれぞれ接続してもよい。
【００６０】
次に、本発明の第２の実施形態について説明する。
【００６１】
本実施形態の点灯装置ユニット４１，４３を図３および図４に示す。なお、図３および図４において、図１と同一部分には同一符号を付して説明は省略する。点灯装置ユニット４１，４３は、図１に示す点灯装置ユニット１において、配線体４のみが異なり、配線体４２，４４に構成されている。配線体４２，４４は、配線体４において、調整抵抗Ｒ４，Ｒ５が設けられている。
【００６２】
また、配線体４２，４４は、第１〜第３の電線２６〜２８が所定の長さに設定されている。すなわち、第１〜第３の電線２６〜２８は、点灯装置３とＬＥＤ負荷２を接続することのできる長さが必要であるが、この長さは、点灯装置３の設置場所により異なり、照明装置の機種により異なる。第１〜第３の電線２６〜２８の長さを照明装置の機種などに応じて設定するのは、手間を要し、管理が煩雑になることがある。このため、第１〜第３の電線２６〜２８は、どの照明装置にも共通に用いることができるように長さを最大化して、所定の長さにしている。第１〜第３の電線２６〜２８のそれぞれの抵抗Ｒ３は、一定の抵抗値Ｓｔとなっている。なお、一定の抵抗値Ｓｔとするのは、第２の電線２７のみであってもよい。
【００６３】
図３において、第２の電線２７の抵抗値Ｓｈは、図１において説明したように、固定抵抗Ｒ２と、接続点７および第２の出力端子１４ｂ間の抵抗との合成抵抗値Ｓａから電流検出抵抗Ｒ１および固定抵抗Ｒ２のそれぞれの抵抗値を減算して求められて設定されることになる。ここで、第２の電線２７は、所定の長さを有して一定の抵抗値Ｓｔを有しているので、設定される抵抗値Ｓｈが一定の抵抗値Ｓｔよりも大きいと、抵抗値Ｓｈから抵抗値Ｓｔを減じた差分、第２の電線２７の抵抗値が不足する。本実施形態では、第２の電線２７は、前記差分の抵抗値を有する調整抵抗Ｒ４を直列接続することにより、設定される抵抗値Ｓｈを確保する。調整抵抗Ｒ４は、一端が第２の電線２７に接続され、他端が第２の出力端子１４ｂに接続されている。
【００６４】
ＬＥＤ負荷２に流れる直流電流は、電流検出抵抗Ｒ１、リード線１１、第２の電線２７、調整抵抗Ｒ５および固定抵抗Ｒ２の経路で流れる。そして、ＬＥＤ負荷２にＬＥＤ５の定格電流が流れるときには、ＬＥＤ５と電流検出抵抗Ｒ１との接続点７に目標値の電圧が発生して検出値として検出端子１５に入力され、検出端子１５から制御部１６に入力される。入力した検出値と制御部１６に記憶されている目標値との差分が非常に小さい。これにより、制御部１６は、ＬＥＤ負荷２のＬＥＤ５の放射光を適応した光出力に制御することができる。
【００６５】
そして、第２の電線２７の設定される抵抗値Ｓｈが一定の抵抗値Ｓｔよりも小さいと、抵抗値Ｓｔから抵抗値Ｓｈを減じた差分、第２の電線２７の抵抗値が上回る。この場合は、図４に示すように、第２の電線２７の両端間に調整抵抗Ｒ５を接続して、第２の電線２７の抵抗Ｒ３と調整抵抗Ｒ５とを並列接続させる。調整抵抗Ｒ５の抵抗値は、第２の電線２７の両端間、すなわちコネクタ２５のコネクタ端子２５ｂおよび第２の出力端子１４ｂ間の抵抗値が抵抗値Ｓｈとなるように設定される。これにより、ＬＥＤ負荷２に定格電流が流れるときに、検出端子１５に目標値の検出値が入力される。
【００６６】
本実施形態の点灯装置ユニット４１，４３によれば、第１〜第３の電線２６〜２８が一定の抵抗値Ｓｔを有する長さに形成されていて、第２の電線２７の両端間に調整抵抗Ｒ４，Ｒ５がそれぞれ直列接続または並列接続されることにより、ＬＥＤ５および電流検出抵抗Ｒ１の接続点７と、第２の出力端子１４ｂとの間の合成抵抗値が設定されるので、第２の電線２７自体の抵抗値を都度調整する必要がなく、照明装置内での余分の配線をなくすことができるという効果を有する。
【００６７】
なお、本実施形態において、調整抵抗Ｒ５は、検出端子１５および第２の出力端子１４ｂ間に接続してもよい。この場合、ＬＥＤ負荷２に流れる直流電流は、ＬＥＤ５および電流検出抵抗Ｒ１の接続点７と、第２の出力端子１４ｂとの間において、電流検出抵抗Ｒ１、リード線１１および第２の電線２７の経路と、リード線１２、第３の電線２８および調整抵抗Ｒ５の経路とに分流する。接続点７および第２の出力端子１４ｂ間の抵抗は、第３の電線２８の抵抗Ｒ３および調整抵抗Ｒ５の直列抵抗と、電流検出抵抗Ｒ１および第２の電線２７の抵抗Ｒ３の直列抵抗との並列抵抗となる。なお、リード線１１，１２の抵抗は、無視している。また、第３の電線２８および調整抵抗Ｒ５の接続点が検出端子１５に接続され、当該接続点の電圧がＬＥＤ負荷２に流れる直流電流の検出値として入力される。調整抵抗Ｒ５の抵抗値は、ＬＥＤ負荷２にＬＥＤ５の定格電流が流れるときに、検出端子１５に目標値の電圧（検出値）が入力するように設定される。
【００６８】
また、上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６９】
１，４１，４３…点灯装置ユニット、  ２…ＬＥＤ負荷、  ３…点灯装置、  ４，４２，４４…配線体、  ５…ＬＥＤ、  １３…電力変換回路、  １４ａ…第１の出力端子、  １４ｂ…第２の出力端子、  １５…検出端子、  １６…制御部、  ２６…第１の電線、  ２７…第２の電線、  ２８…第３の電線、  ３１…照明装置、  ３２…装置本体、  Ｒ１…電流検出抵抗、  Ｒ２…固定抵抗、  Ｒ４，Ｒ５…調整抵抗
【図１】
2017183039.tif 000003
【図２】
2017183039.tif 000004
【図３】
2017183039.tif 000005
【図４】
2017183039.tif 000006